【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
チャネル・ベースの源オーディオ・コンテンツから適応的なオーディオ・コンテンツを生成する方法であって：
前記源オーディオ・コンテンツを指向性オーディオ信号および拡散性オーディオ信号に分解する段階と；
前記指向性オーディオ信号から少なくとも一つのオーディオ・オブジェクトを抽出する段階と；
前記拡散性オーディオ信号からチャネル・ベースのオーディオ・ベッドを生成する段階と；
少なくとも部分的に前記少なくとも一つのオーディオ・オブジェクトおよび前記オーディオ・ベッドに基づいて前記適応的なオーディオ・コンテンツを生成する段階とを含む、
方法。
【請求項２】
前記チャネル・ベースの源オーディオ・コンテンツがサラウンド5.1またはサラウンド7.1フォーマットである、請求項１記載の方法。
【請求項３】
前記源オーディオ・コンテンツを分解することが：
前記源オーディオ・コンテンツに対して信号成分分解を実行し；
分解された信号成分を解析することによって拡散性の確率を計算することを含む、
請求項１または２記載の方法。
【請求項４】
前記少なくとも一つのオーディオ・オブジェクトを抽出する段階が：
前記源オーディオ・コンテンツにおける複数のフレームのそれぞれについて、同じオーディオ・オブジェクトを含むチャネルを識別し、総合するスペクトル分解を実行し；
前記複数のフレームを横断して識別され、総合されたチャネルの時間的合成を実行して、時間に沿った前記少なくとも一つのオーディオ・オブジェクトを形成することを含む、
請求項１ないし３のうちいずれか一項記載の方法。
【請求項５】
前記同じオーディオ・オブジェクトを含むチャネルを識別し、総合することが：
前記複数のフレームのそれぞれについて、周波数範囲を複数のサブバンドに分解し；
前記複数のサブバンドの間の包絡およびスペクトル形状の少なくとも一方の類似性に基づいて、同じオーディオ・オブジェクトを含むチャネルを識別し、総合することを含む、
請求項４記載の方法。
【請求項６】
前記オーディオ・ベッドを生成する段階が：
前記源オーディオ・コンテンツを周囲アップミックスすることによって少なくとも一つの高さチャネルを生成する段階と；
前記源オーディオ・コンテンツのチャネルおよび前記少なくとも一つの高さチャネルから前記オーディオ・ベッドを生成する段階とを含む、
請求項１ないし５のうちいずれか一項記載の方法。
【請求項７】
前記適応的なオーディオ・コンテンツに関連付けられるメタデータを推定する段階をさらに含む、
請求項１ないし６のうちいずれか一項記載の方法。
【請求項８】
前記適応的なオーディオ・コンテンツを生成する段階が、前記適応的なオーディオ・コンテンツに関連付けられた前記メタデータを編集することを含む、請求項７記載の方法。
【請求項９】
前記メタデータを編集することが、前記適応的なオーディオ・コンテンツの利得を制御することを含む、請求項８記載の方法。
【請求項１０】
前記適応的なオーディオ・コンテンツを生成する段階が、前記少なくとも一つのオーディオ・オブジェクトの再オーサリングを実行することを含み、前記再オーサリングが：
前記少なくとも一つのオーディオ・オブジェクトのうちで少なくとも部分的に重なっているオーディオ・オブジェクトを分離すること；
前記少なくとも一つのオーディオ・オブジェクトに関連付けられた属性を修正すること；および
前記少なくとも一つのオーディオ・オブジェクトを対話的に操作することのうちの少なくとも一つを含む、
請求項１ないし９のうちいずれか一項記載の方法。
【請求項１１】
チャネル・ベースの源オーディオ・コンテンツから適応的なオーディオ・コンテンツを生成するシステムであって：
前記源オーディオ・コンテンツを指向性オーディオ信号および拡散性オーディオ信号に分解するよう構成された信号分解器と；
前記指向性オーディオ信号から少なくとも一つのオーディオ・オブジェクトを抽出するよう構成されたオーディオ・オブジェクト抽出器と；
前記拡散性オーディオ信号からチャネル・ベースのオーディオ・ベッドを生成するよう構成されたオーディオ・ベッド生成器と；
少なくとも部分的には前記少なくとも一つのオーディオ・オブジェクトおよび前記オーディオ・ベッドに基づいて前記適応的なオーディオ・コンテンツを生成するよう構成された適応オーディオ生成器とを有する、
システム。
【請求項１２】
前記チャネル・ベースの源オーディオ・コンテンツがサラウンド5.1またはサラウンド7.1フォーマットである、
請求項１１記載のシステム。
【請求項１３】
前記信号分解器は：
前記源オーディオ・コンテンツに対して信号成分分解を実行するよう構成された成分分解器と；
分解された信号成分を解析することによって拡散性の確率を計算するよう構成された確率計算器とを有する、
請求項１１または１２記載のシステム。
【請求項１４】
前記オーディオ・オブジェクト抽出器は：
前記源オーディオ・コンテンツにおける複数のフレームのそれぞれについてスペクトル合成を実行して、同じオーディオ・オブジェクトを含むチャネルを識別して総合するよう構成されたスペクトル合成器と；
前記複数のフレームを横断して前記識別および総合されたチャネルの時間的合成を実行して、時間に沿った前記少なくとも一つのオーディオ・オブジェクトを形成するよう構成された時間的合成器とを有する、
請求項１１ないし１３のうちいずれか一項記載のシステム。
【請求項１５】
請求項１ないし１０のうちいずれか一項記載の方法を実行するためのプログラム・コードを含むコンピュータ・プログラムが機械可読媒体上に有体に具現されているコンピュータ・プログラム・プロダクト。
【手続補正２】
【補正対象書類名】明細書
【補正対象項目名】００７４
【補正方法】変更
【補正の内容】
【００７４】
本発明の実施形態は開示されている個別的な実施形態に限定されるものではなく、他の実施形態が付属の請求項の範囲内に含まれることが意図されていることは理解されるであろう。本稿では個別的な用語が使われているが、これらは一般的かつ記述的な意味でのみ使われており、限定のためではない。
いくつかの態様を記載しておく。
〔態様１〕
適応的なオーディオ・コンテンツを生成する方法であって：
チャネル・ベースの源オーディオ・コンテンツから少なくとも一つのオーディオ・オブジェクトを抽出する段階と；
少なくとも部分的に前記少なくとも一つのオーディオ・オブジェクトに基づいて前記適応的なオーディオ・コンテンツを生成する段階とを含む、
方法。
〔態様２〕
前記少なくとも一つのオーディオ・オブジェクトを抽出する段階が：
前記源オーディオ・コンテンツを指向性オーディオ信号および拡散性オーディオ信号に分解し；
前記指向性オーディオ信号から前記少なくとも一つのオーディオ・オブジェクトを抽出することを含む、
態様１記載の方法。
〔態様３〕
前記源オーディオ・コンテンツを分解することが：
前記源オーディオ・コンテンツに対して信号成分分解を実行し；
分解された信号成分を解析することによって拡散性の確率を計算することを含む、
態様２記載の方法。
〔態様４〕
前記少なくとも一つのオーディオ・オブジェクトを抽出する段階が：
前記源オーディオ・コンテンツにおける複数のフレームのそれぞれについて、同じオーディオ・オブジェクトを含むチャネルを識別し、総合するスペクトル分解を実行し；
前記複数のフレームを横断して識別され、総合されたチャネルの時間的合成を実行して、時間に沿った前記少なくとも一つのオーディオ・オブジェクトを形成することを含む、
態様１ないし３のうちいずれか一項記載の方法。
〔態様５〕
前記同じオーディオ・オブジェクトを含むチャネルを識別し、総合することが：
前記複数のフレームのそれぞれについて、周波数範囲を複数のサブバンドに分解し；
前記複数のサブバンドの間の包絡およびスペクトル形状の少なくとも一方の類似性に基づいて、同じオーディオ・オブジェクトを含むチャネルを識別し、総合することを含む、
態様４記載の方法。
〔態様６〕
前記源オーディオ・コンテンツからチャネル・ベースのオーディオ・ベッドを生成する段階をさらに含み、
前記適応的なオーディオ・コンテンツを生成する段階が、前記少なくとも一つのオーディオ・オブジェクトおよび前記オーディオ・ベッドに基づいて前記適応的なオーディオ・コンテンツを生成することを含む、
態様１ないし５のうちいずれか一項記載の方法。
〔態様７〕
前記オーディオ・ベッドを生成する段階が：
前記源オーディオ・コンテンツを指向性オーディオ信号および拡散性オーディオ信号に分解し；
前記拡散性オーディオ信号から前記オーディオ・ベッドを生成することを含む、
態様６記載の方法。
〔態様８〕
前記オーディオ・ベッドを生成する段階が：
前記源オーディオ・コンテンツを周囲アップミックスすることによって少なくとも一つの高さチャネルを生成する段階と；
前記源オーディオ・コンテンツのチャネルおよび前記少なくとも一つの高さチャネルから前記オーディオ・ベッドを生成する段階とを含む、
態様６または７記載の方法。
〔態様９〕
前記適応的なオーディオ・コンテンツに関連付けられるメタデータを推定する段階をさらに含む、
態様１ないし８のうちいずれか一項記載の方法。
〔態様１０〕
前記適応的なオーディオ・コンテンツを生成する段階が、前記適応的なオーディオ・コンテンツに関連付けられた前記メタデータを編集することを含む、態様９記載の方法。
〔態様１１〕
前記メタデータを編集することが、前記適応的なオーディオ・コンテンツの利得を制御することを含む、態様１０記載の方法。
〔態様１２〕
前記適応的なオーディオ・コンテンツを生成する段階が、前記少なくとも一つのオーディオ・オブジェクトの再オーサリングを実行することを含み、前記再オーサリングが：
前記少なくとも一つのオーディオ・オブジェクトのうちで少なくとも部分的に重なっているオーディオ・オブジェクトを分離すること；
前記少なくとも一つのオーディオ・オブジェクトに関連付けられた属性を修正すること；および
前記少なくとも一つのオーディオ・オブジェクトを対話的に操作することのうちの少なくとも一つを含む、
態様１ないし１１のうちいずれか一項記載の方法。
〔態様１３〕
適応的なオーディオ・コンテンツを生成するシステムであって：
チャネル・ベースの源オーディオ・コンテンツから少なくとも一つのオーディオ・オブジェクトを抽出するよう構成されたオーディオ・オブジェクト抽出器と；
少なくとも部分的には前記少なくとも一つのオーディオ・オブジェクトに基づいて前記適応的なオーディオ・コンテンツを生成するよう構成された適応オーディオ生成器とを有する、
システム。
〔態様１４〕
前記源オーディオ・コンテンツを指向性オーディオ信号および拡散性オーディオ信号に分解するよう構成された信号分解器をさらに有しており、
前記オーディオ・オブジェクト抽出器は、前記指向性オーディオ信号から前記少なくとも一つのオーディオ・オブジェクトを抽出するよう構成されている、
態様１３記載のシステム。
〔態様１５〕
前記信号分解器は：
前記源オーディオ・コンテンツに対して信号成分分解を実行するよう構成された成分分解器と；
分解された信号成分を解析することによって拡散性の確率を計算するよう構成された確率計算器とを有する、
態様１４記載のシステム。
〔態様１６〕
前記オーディオ・オブジェクト抽出器は：
前記源オーディオ・コンテンツにおける複数のフレームのそれぞれについてスペクトル合成を実行して、同じオーディオ・オブジェクトを含むチャネルを識別して総合するよう構成されたスペクトル合成器と；
前記複数のフレームを横断して前記識別および総合されたチャネルの時間的合成を実行して、時間に沿った前記少なくとも一つのオーディオ・オブジェクトを形成するよう構成された時間的合成器とを有する、
態様１３ないし１５のうちいずれか一項記載のシステム。
〔態様１７〕
前記スペクトル合成器は、前記複数のフレームのそれぞれについて、周波数範囲を複数のサブバンドに分割するよう構成された周波数分割器を有しており、
前記スペクトル合成器は、前記複数のサブバンドの間の、包絡およびスペクトル形状の少なくとも一方の類似性に基づいて、同じオーディオ・オブジェクトを含むチャネルを識別し、総合するよう構成されている、
態様１６記載のシステム。
〔態様１８〕
前記源オーディオ・コンテンツからチャネル・ベースのオーディオ・ベッドを生成するよう構成されたオーディオ・ベッド生成器をさらに有しており、
前記適応オーディオ生成器は、前記少なくとも一つのオーディオ・オブジェクトおよび前記オーディオ・ベッドに基づいて前記適応的なオーディオ・コンテンツを生成するよう構成されている、
態様１３ないし１７のうちいずれか一項記載のシステム。
〔態様１９〕
前記源オーディオ・コンテンツを指向性オーディオ信号および拡散性オーディオ信号に分解するよう構成された信号分解器をさらに有しており、
前記オーディオ・ベッド生成器は、前記拡散性オーディオ信号から前記オーディオ・ベッドを生成するよう構成されている、
態様１８記載のシステム。
〔態様２０〕
前記オーディオ・ベッド生成器が：
前記源オーディオ・コンテンツを周囲アップミックスすることによって少なくとも一つの高さチャネルを生成するよう構成された高さチャネル生成器を有しており、
前記オーディオ・ベッド生成器は、前記源オーディオ・コンテンツのチャネルおよび前記少なくとも一つの高さチャネルから前記オーディオ・ベッドを生成するよう構成されている、
態様１８または１９記載のシステム。
〔態様２１〕
前記適応的なオーディオ・コンテンツに関連するメタデータを推定するよう構成されたメタデータ推定器をさらに有する、
態様１３ないし２０のうちいずれか一項記載のシステム。
〔態様２２〕
前記適応的なオーディオ・コンテンツに関連する前記メタデータを編集するよう構成されたメタデータ編集器をさらに有する、
態様２１記載のシステム。
〔態様２３〕
前記メタデータ編集器は、前記適応的なオーディオ・コンテンツの利得を制御するよう構成された利得コントローラを有する、態様２２記載のシステム。
〔態様２４〕
前記適応オーディオ生成器は、前記少なくとも一つのオーディオ・オブジェクトに対して再オーサリングを実行するよう構成された再オーサリング・コントローラを有しており、前記再オーサリング・コントローラは：
前記少なくとも一つのオーディオ・オブジェクトのうちの少なくとも部分的に重なり合っているオーディオ・オブジェクトを分離するよう構成されたオブジェクト分離器；
前記少なくとも一つのオーディオ・オブジェクトに関連付けられた属性を修正するよう構成された属性修正器；および
前記少なくとも一つのオーディオ・オブジェクトを対話的に操作するよう構成されたオブジェクト操作器のうちの少なくとも一つを有する、
態様１３ないし２３のうちいずれか一項記載のシステム。
〔態様２５〕
態様１ないし１２のうちいずれか一項記載の方法を実行するためのプログラム・コードを含むコンピュータ・プログラムが機械可読媒体上に有体に具現されているコンピュータ・プログラム・プロダクト。